(57)【要約】【課題】半割り体よりなる整地ロータのロータ軸に対する取付けの位置決めが正確かつ容易に行え、併せて整地ロータを強固に組み立て、頑丈な整地ロータを得ること。【解決手段】ロータ片４０のロータ軸２３への嵌合面４２に突起４３を設け、この突起をロータ軸の取付け凹部４５に差し込み、２個一対のロータ片相互をロータ軸に位置決めする。突起と２個のロータ片相互を固定する螺子止め部４６，４７を両端の連結部材４２に設け、螺子止め部に装着した締具により整地ロータ２２を組み立てる。【選択図】図３
2011193805.tif 000002
【特許請求の範囲】
【請求項１】
ロータ軸と、半割り状の同一形状からなる２個のロータ片と、を備え、前記ロータ軸に前記２個のロータ片を合せて一体に固定してなる整地ロータにおいて、
前記ロータ軸と嵌合する前記２個のロータ片の嵌合面に、それぞれ内径方向に突出する突起を一体に形成し、これら突起を、前記ロータ軸の外周面に一体に形成した取付け凹部に差込んで、前記２個のロータ片を互いに合わさるようにして、前記ロータ軸に位置決めしてなる、
ことを特徴とする整地ロータ。
【請求項２】
前記各ロータ片は、その外周側に前記ロータ軸の軸線方向に平行に配置された多数の整地部材と、前記ロータ軸の軸線方向に所定間隔隔てて複数配置され、前記整地部材を連結する連結部材と、を有し、
前記複数の連結部材の内の前記軸線方向両端の連結部材に、前記突起及び前記２個のロータ片を互いに固定する螺子止め部を配置してなる、
請求項１記載の整地ロータ。
【請求項３】
前記ロータ片の嵌合面の内径を、前記ロータ軸の外径に対して僅かに小さく設定し、
前記突起を先細状のテーパ形状としてなる、
請求項１又は２記載の整地ロータ。
【発明の詳細な説明】
【技術分野】
【０００１】
この発明は整地ロータに関し、詳しくは、ロータ軸に取り付けられて該ロータ軸の回転とともに回転し、圃場の表層部を整地する田植機等の整地ロータに関する。
【背景技術】
【０００２】
整地ロータを半割り体（ロータ片）より構成することは公知であるが、従来の半割り整地ロータのロータ軸への取付けにつき、ロータ片相互の位置決めと、整地ロータのロータ軸への位置決めとを別途行った後、これら３者（２つのロータ片、ロータ軸）を連結していたので、取付け作業が煩雑化していた。特開２００６−１５８２３０号公報は、ロータ軸に貫通するボルト・ナットの連結用締具をもってロータ片相互を組み立て、部品点数の削減、取付け作業の容易化を図るものであるが、ロータ軸への位置決めが該整地ロータのロータ軸への固定と同時になされるので、依然として位置決めの正確及び位置決め作業自体の容易化に至っていない。
【先行技術文献】
【特許文献】
【０００３】
【特許文献１】特開２００６−１５８２３０号公報
【発明の概要】
【発明が解決しようとする課題】
【０００４】
本発明は上記実情に鑑み、半割り体よりなる整地ロータのロータ軸に対する取付けの位置決めが正確かつ容易に行え、併せて整地ロータを強固に組み立て、頑丈な整地ロータを得ることを目的とする。
【課題を解決するための手段】
【０００５】
本発明は整地ロータに係り、例えば図３、図４（ａ）（ｂ）を参照してみると、ロータ軸（２３）と、半割り状の同一形状からなる２個のロータ片（４０）と、を備え、前記ロータ軸（２３）に前記２個のロータ片（４０）を合せて一体に固定してなる整地ロータ（２２）において、
前記ロータ軸（２３）と嵌合する前記２個のロータ片（４０）の嵌合面（４２ａ）に、それぞれ内径方向に突出する突起（４３）を一体に形成し、これら突起（４３）を、前記ロータ軸（２３）の外周面に一体に形成した取付け凹部（４５）に差込んで、前記２個のロータ片（４０）を互いに合わさるようにして、前記ロータ軸（２３）に位置決めしてなる、
ことを特徴とする。
【０００６】
前記各ロータ片（４０）は、例えば図４（ｂ）を参照してみると、その外周側に前記ロータ軸（２３）の軸線方向に平行に配置された多数の整地部材（４１）と、前記ロータ軸（２３）の軸線方向に所定間隔隔てて複数配置され、前記整地部材（４１）を連結する連結部材（４２）と、を有し、前記複数の連結部材（４２）の内の前記軸線方向両端の連結部材（４２）に、前記突起（４３）及び前記２個のロータ片（４０）を互いに固定する螺子止め部（４６，４７）を配置してなる。
【０００７】
前記ロータ片（４０）の嵌合面（４２ａ）の内径を、前記ロータ軸（２３）の外径に対して僅かに小さく設定し、前記突起（４３）を先細状のテーパ形状としてなる。
【０００８】
なお、括弧内の符合は図面を参照するためのものであるが、これにより、特許請求の範囲に記載の構成を何ら限定するものではない。
【発明の効果】
【０００９】
請求項１に係る本発明によると、一対のロータ片は互いに独立してそれらの突起をロータ軸の取付け凹部に差し込んで取り付けられ、かつその取付けと同時に整地ロータの組立て体が形成されるので、整地ロータのロータ軸への取付けに際してロータ片とロータ軸との位置決め並びにロータ片相互の位置決めが正確かつ容易になされ、取付け作業が容易かつ迅速化される。更に、ロータ軸への加工は突起を受け入れる取付け凹部の形成で済み、連結具等の他の部材の貫通はないので、該ロータ軸の断面欠損は可及的小さくでき、ロータ軸の強度が維持される。
【００１０】
請求項２に係る本発明によると、ロータ片の突起によるロータ軸への位置決めと、螺子止め部によるロータ片相互の位置決めとを、軸方向両端の連結部材に集中して配置したので、２個のロータ片の取付けが容易になると共に、これらの位置決め誤差によるねじれが生じない。このため、整地ロータの両端部位の螺子止め部に装着される螺子（ボルト・ナット態様）を締込み、ロータ片相互を強固に締め付けることができ、強固な連結が行え、ひいては頑丈な整地ロータを得ることができる。
【００１１】
請求項３に係る本発明によると、嵌合面の半径がロータ軸の半径より小さくされているので、螺子止め部に装着される螺子（ボルト・ナット態様）の締付けにより回転駆動力を伝達するロータ軸と整地ロータとの接触面の面圧が上り、当該接触面でも駆動力が分担され、突起への駆動力の負担が軽減される。更に突起はロータ軸の取付け凹部に対し食込み状に取り付けられるので、取付けのがた付きがなくなり、突起の強度を向上することができる。
【図面の簡単な説明】
【００１２】
【図１】本発明に係る整地ロータを適用した乗用田植機の全体側面図。
【図２】本整地ロータ回りの機構を示す斜視図。
【図３】本整地ロータの拡大側面図。
【図４】本整地ロータのロータ片を示し、（ａ）はその側面図、（ｂ）はその平面図、（ｃ）は（ｂ）図の中央部を示し、（ｄ）は（ｂ）図の右部の背面視を示す。
【図５】本整地ロータのロータ片の斜視図。
【発明を実施するための形態】
【００１３】
以下、図面に基づき本発明の実施の形態を説明する。図１は本発明の適用される乗用田植機の全体を示し、図２〜図５は本発明の整地ロータの各部の構成を示す。
【００１４】
図１に示すように、本乗用田植機１は、操向自在の左右一対の前輪２と操向不能の左右一対の後輪３とを備えた走行機体５に搭乗運転部６が配され、該走行機体５の後部に苗の植付け作業機７が油圧シリンダによって作動する平行四連式のリンク機構９を介して昇降自在に連結されている。走行機体５には、ボンネット１０で覆われたエンジンが搭載され、該エンジンの動力は前輪２を軸支するミッションケースに入力され、該ミッションケースより取り出される出力は後輪伝動軸１１を介して後輪３を軸支する後部伝動ケース１２に伝達される。走行機体５の搭乗運転部６には、前記前輪２を操向操作するためのステアリングハンドル、前記ミッションケースに連動する変速レバー類、機体停止ペダル（ブレーキペダル）、及び運転座席が配されている。更に、走行機体５前部の左右には、予備の苗を複数段に載置収容する予備苗のせ台１３が配されている。
【００１５】
前記植付け作業機７は、（６条分の）植え付けられる苗を載置して左右方向に設定ストロークで往復移動される苗載せ台１５が傾斜を保って配され、該苗載せ台１５の下方には苗載せ台１５の下端から１株分づつ苗を切り出して圃場に植付けてゆく（６組の）回転式の植付け装置１６、及び整地フロート１７が配される。該苗載せ台１５の背面には前述したリンク機構９に連結されて昇降するフレーム体１９が配され、該苗載せ台１５は該フレーム体１９の上端に取付け材２０を介して固定され、また、植付け装置１６及び整地フロート１７もこのフレーム体１９に所定の取付け材を介して固定され、これらの部材１５，１６，１７はフレーム体１９の動きと一体して動くものである。なお、これらの部材１５，１６，１７の動力は前記したミッションケースより直接に取り出される伝動軸２１より得る。
【００１６】
本実施形態の整地ロータ２２は、植付け作業機７と後輪３との間に配置され、横方向に配されるロータ軸２３に取り付けられて該ロータ軸２３の回転とともに回転し、かつ該ロータ軸２３は一連の介装部材を介して前記フレーム体１９に取り付けられ、上記の部材１５，１６，１７と一体もしくは分離して動く。本整地ロータ２２の駆動力は、前記した後部伝動ケース１２より取り出される伝動軸２５を介して得る。本整地ロータ２２は、乗用田植機１のほぼ全幅にわたって配されるものであり、したがって該ロータ軸２３もほぼ同等の長さを採る。
【００１７】
図２は本整地ロータ２２回りの詳細機構（支持及び作動機構）を示す。前記フレーム体１９は、２つの相隔てて配される縦フレーム１９Ａと、これらの縦フレーム１９Ａの下端に水平に掛け渡される横フレーム１９Ｂとが一体的に組み立てられてなり、縦フレーム１９Ａの上端には前記取付け材２０が固定され、横フレーム１９Ｂには前記した植付け装置１６及び整地フロート１７が取り付けられる。横フレーム１９Ｂの長さは本乗用田植機１のほぼ全幅に等しい。
【００１８】
フレーム体１９の縦フレーム１９Ａの中間部位に軸体２６が回転自在に固設され、該軸体２６の左右両側で、かつ縦フレーム１９Ａの近傍で該軸体２６と一体的に回転するアーム材２９が固設され、該軸体２６の先端には型材よりなる支持杆３０の上部がピンを介して回転自由に取り付けられる。支持杆３０の下端には支持部材３１を介して本整地ロール２１のローラ軸２２が回転自在に支持される。更に、縦フレーム１９Ａには、前記アーム材２９と相並べて別なアーム材３２がブラケット３３によりピンを介して取り付けられるとともに、その先端はピンを介して前記支持杆３０に枢着される。したがってアーム材２９とアーム材３２とは軸体２６、縦フレーム１９Ａ、支持杆３０とともに４節リンクを形成する。整地ロータ２２の高さ調整は、軸体２６をモータで回動する等により行われる。
【００１９】
更に、本整地ロータ２２のロータ軸２３の中間部位には前記した伝動軸２５に接続されるギヤケース３３が装着され、伝動軸２５からの動力が入力されてロータ軸２３が回転駆動し、本整地ロータ２２が回転駆動する。整地ロータ２２の上方は、支持杆３０に固定された長尺のカバー３５によって覆われる。
【００２０】
図２に示されるように、本実施形態では中空管をなすロータ軸２３に沿って６個の整地ロータ２２が所定の位置関係を保って配される。
【００２１】
図３〜図５に基づいて、本整地ロータ２２の詳細構造をロータ軸２３への取付け構造とともに説明する。
【００２２】
整地ロータ２２は、その側面構成（図３）より、ロータ軸２３を抱持して２つの相対接するロータ片４０の組合せ体からなる。各ロータ片４０は整地ロータ２２の半割り体であって、同一形状をなすとともに合成樹脂素材をもって一体成形される。その組合せ体は正６角形の篭形をなす。
【００２３】
ロータ片４０は、軸（ロータ軸２３）方向に長く、かつ該ロータ軸２３の軸方向に平行する３つの板状の整地部材４１と、各整地部材４１をそれらの両側及び中間部において連結する複数（本実施形態では３）の連結部材４２とから構成される。
【００２４】
整地部材４１は整地ロータ２２の回転方向側の端面に波状部４１ａを有し、該波状部４１ａは正６角形体より突出して配される。整地部材４１は整地ロータ２２の回転に伴って該波状部４１ａをもって圃場面を掻く。
【００２５】
連結部材４２はその中央に所定の半径Ｒ（符合のみ）の嵌合面４２ａが凹設され、また、嵌合面４２ａの両側面は平坦状の対接面４２ｂとなっている。該嵌合面４２ａの半径Ｒは対応するロータ軸２３の半径ｒ（符合のみ）よりもわずかに小さくされている。そして、半割りのロータ片４０相互が組み合わされたとき、対応する嵌合面４２ａは円形をなすとともにその空間部にロータ軸２３を抱持嵌合し、また、対接面４２ｂ相互は互いに当接状態を採る。
【００２６】
両側の連結部材４２においては更に、半円状の嵌合面４２ａの中央部に内径方向に突起４３が突設される。該突起４３はテーパー状とされている。一方、ロータ軸２３の管壁の対称位置に該突起４３を受け入れる取付け凹部４５が軸方向に所定間隔を保って開設される。該取付け凹部４５も突起４３のテーパーに対応して傾斜面となっている。
【００２７】
また、両側の連結部材４２には、それらの内側（中間の連結部材４２に向く側）部でかつ両端部に２つの螺子止め部４６，４７が一体的に形成される。螺子止め部４６は、所定（厚め）の肉厚を有するとともに外端面は平坦な対接面４６ａをなし、その肉厚部を貫通するボルト挿通孔４６ｂが形成され、内端面にはナット把持部４６ｃが凹設される。螺子止め部４７は、螺子止め部４６の肉厚よりも薄くされ、外端面は平坦な対接面４７ａをなし、その肉厚部を貫通するボルト挿通孔４７ｂが形成され、内端面は平坦面とされる。上記の対接面４６ａ，４７ａは連結部材４２の対接面４２ｂと面一をなす。図示（図３）されるように、一対のロータ片４０を対接すると、螺子止め部４６と螺子止め部４７とは対応し、それらの対接面４６ａと対接面４７ａとは互いに当接し、かつそれらのボルト挿通孔４６ｂ，４７ｂとは軸心が一致する。ナット把持部４６ｃには締具の一方のナット（図示せず）が嵌め込まれ、螺子止め部４７の内端面側からは締具の他方のボルト（図示せず）が挿入される。ナット把持部４６ｃにはナットが密接状に嵌め込まれ、ボルトを受け入れた際にも妄動はない。
【００２８】
更に、図５に示すように、螺子止め部４６にはナット把持部４６ｃより整地部材４１側に延びる溝部４６ｄが形成され、これに対応して整地部材４１の後面には切欠き凹部４１ｂが形成され、これら４６ｄ，４１ｂにより締具のナットを装着する際の案内をなす。螺子止め部４７は対応する整地部材４１が垂直状をなすので、そのような手段はない。
【００２９】
このように構成された本実施形態の整地ロータ２２の組付けにつき、ロータ軸２３には当該整地ロータ２２が組み付けられる位置に予め取付け凹部４５が穿設されるものであり、該取付け凹部４５に対応して対向する一対のロータ片４０の突起４３がそれぞれ嵌め込まれる。これにより、本整地ロータ２２のロータ片４０はロータ軸２３に自動的に位置決めがなされて容易かつ正確に取り付けられ、本整地ロータ２２の組付け体が形成され、組立て作業の効率が向上する。
【００３０】
次に、整地ロータ２２のロータ軸２３への固定がなされる。すなわち、一対のロータ片４０相互において、両側の連結部材４２の対応する螺子止め部４６と螺子止め部４７とで、螺子止め部４６のナット把持部４６ｃにナットを組み込み、螺子止め部４７側よりボルトを装着して締め込む。ナットはナット把持部４６ｃに密接状に嵌め込まれ、ボルトの締込みは容易かつ良好になされる。ボルトの締込みにより、ロータ片４０相互は強く密着し、テーパー状の突起４３は傾斜面を持つ取付け凹部４５に強固に嵌入され、また、その嵌合面４２ａの半径Ｒ面はロータ軸２３の半径ｒ面を強く圧迫し、これにより本整地ロータ２２はロータ軸２３に強固に取り付けられる。
【符号の説明】
【００３１】
２２  整地ロータ
２３  ロータ軸
４０  ロータ片
４１  整地部材
４２  連結部材
４２ａ  嵌合面
４３  突起
４６，４７  螺子止め部
【図１】
2011193805.tif 000003
【図２】
2011193805.tif 000004
【図３】
2011193805.tif 000005
【図４】
2011193805.tif 000006
【図５】
2011193805.tif 000007